Podtech/llm-jp-corpus-v4-ja_patent huggingface dataset:
(57)【要約】      （修正有）【課題】低価格で形成可能であり、しかもバレル槽内面と精密に相似したウレタン系ライニング層の形成方法を提供すること。【解決手段】ライニング層付きバレル槽に硬化前のＦＲＰを張りつける。ＦＲＰが硬化した後、離型し型体を得る。ライニング層を設けていない同サイズのバレル槽に、当該型体をスペーサで所望厚を保持した状態で嵌め込む。型体とバレル槽との間隙にウレタン生材を注入硬化させる。型体を離型する。ウレタン生材に加硫処理を施す。【選択図】図１
2005103665.tif 000002
【特許請求の範囲】
【請求項１】
ライニング層付きバレル槽に硬化前のＦＲＰ（Ｆｉｂｅｒ  Ｒｅｉｎｆｏｒｃｅｄ  Ｐｌａｓｔｉｃｓ：繊維強化プラスチック）を張りつける。ＦＲＰが硬化した後、離型し型体を得る。ライニング層を設けていない同サイズのバレル槽に、当該型体をスペーサで所望厚を保持した状態で嵌め込む。型体とバレル槽との間隙にウレタン生材を注入硬化させる。型体を離型する。ウレタン生材に加硫処理を施す。以上の工程よりなるバレル研磨機におけるライニング層形成方法。
【発明の詳細な説明】
【技術分野】
【０００１】
本発明はバレル槽内で被研磨物を研磨材と共に攪拌して研磨を行うバレル研磨機に関し、より詳しくはバレル槽内表面に施されるウレタン系材料を使用したライニング層形成方法に関する。
【背景技術】
【０００２】
バレル研磨機においてバレル槽内表面にはバレル槽の保護、被研磨物への衝撃緩衝等のためにライニングが施されている。このライニング材としてはゴム系或はウレタン系のものが一般的に使用されることが多い。
【０００３】
ここにゴム系の場合のライニング層形成方法は、ゴム板を所望の厚さになるようバレル内面に張りつけた後、焼き付け、加硫している。一方、ウレタン系の場合はバレル槽に相似した金型を設け、この金型とバレル槽の間隙部に溶融した材料を流し込み、ついでウレタン生材を加硫することによりライニング層付バレル槽を製造している。
【０００４】
ところが係る金型を使用するライニング方法は、バレル槽の形状に相似した複雑な形状の金型が必要となり非常に高額なものとなってしまう。
【０００５】
係る問題点を解決する従来例として特開平７−１４８６５９号公報記載のライニング層形成方法がある。
【０００６】
ここに特開平７−１４８６５９号公報記載のライニング層形成方法は、バレル槽の内側表面にポリウレタン樹脂を吹き付けるというものである。
【特許文献１】特開平７−１４８６５９号公報
【発明の開示】
【発明が解決しようとする課題】
【０００７】
特開平７−１４８６５９号公報記載のライニング層形成方法によれば金型を使用する必要はなく、よって低価格でライニング層の形成が可能であり有用な方法といえる。
【０００８】
ところが、係るライニング層形成方法は均一な層の形成が難しく、バレル槽内面と精密に相似したライニング層の形成は困難である。
【０００９】
そこで本発明は低価格で形成可能であり、しかもバレル槽内面と精密に相似したウレタン系ライニング層の形成方法を提供することを目的とする。
【課題を解決するための手段】
【００１０】
上記課題を解決するために、本発明に係るバレル研磨機におけるライニング層形成方法は以下のような工程を採用した。
【００１１】
ライニング層付きバレル槽に硬化前のＦＲＰ（Ｆｉｂｅｒ  Ｒｅｉｎｆｏｒｃｅｄ  Ｐｌａｓｔｉｃｓ：繊維強化プラスチック）を張りつける。ＦＲＰが硬化した後、離型し型体を得る。ライニング層を設けていない同サイズのバレル槽に、当該型体をスペーサで所望厚を保持した状態で嵌め込む。型体とバレル槽との間隙にウレタン生材を注入硬化させる。型体を離型する。ウレタン生材に加硫処理を施す。
【００１２】
以下、かように構成される本発明が如何に作用して課題を解決するかを述べる。
【００１３】
本発明ではＦＲＰを用いてライニング層表面を精密に型採った型体を得ることが可能である。係る型体を使用して型体とライニング層を形成するバレル槽との間隙にウレタン生材を注入、硬化、離型するものである。
【００１４】
かように金型を使用せずとも成形が可能であるが故に低価格でのライニング層の形成が可能となるのである。
【００１５】
また、型を採取するバレル槽のライニング層が、バレル槽内表面に精密に相似するものを使用しさえすれば、バレル槽内表面と精密に相似したライニング層を同サイズのバレル槽に形成することが可能となるのである。
【発明の効果】
【００１６】
以上のように本発明によれば、低価格で、しかもバレル槽内面と精密に相似したウレタン系ライニング層の形成が可能となるのである。
【発明を実施するための最良の形態】
【００１７】
以下、好ましい発明の一実施形態につき図面を参照しながら述べる。
【００１８】
図１はライニング層付きバレル槽にＦＲＰを張りつけた状態の断面図であり、図２はライニング層を設けていないバレル槽に型体を嵌め込もうとした状態の断面図であり、図３はライニング層を設けていないバレル槽に型体を嵌め込んだ状態の断面図である。
【００１９】
図１に示すように、本発明においてはライニング層２を設けたバレル槽１ａに硬化前の軟質ＦＲＰを張りつけ、型体３を形成する。ここにＦＲＰ（Ｆｉｂｅｒ  Ｒｅｉｎｆｏｒｃｅｄ  Ｐｌａｓｔｉｃｓ）とは繊維強化プラスチックのことである。ＦＲＰは通常品を使用して構わない。例えばガラス繊維とポリエステル樹脂より成るものなどである。ＦＲＰは硬化剤を加えることで硬化させる。完全に硬化する前にバレル槽１ａに張りつけるのである。
【００２０】
また、型体３を取り出しやすいようにライニング層２に離型剤を塗布しておいても構わない。
【００２１】
ＦＲＰが硬化し離型すれば型体３の完成である。この型体３をバレル槽１ａと同サイズであり未だライニング層を設けていないバレル槽１ｂに嵌め込む（図２参照）。この際、バレル槽１ｂに設けたいライニング層の厚さと同じ高さのスぺーサ４を、バレル槽１ｂと型体３の間に介在させる（図３参照）。ここにスぺーサ４は形成したいウレタン系ライニング層と同素材のウレタンゴムで設けることが好ましい。
【００２２】
そして、バレル槽１ｂと型体３の間にウレタン生材を注入するのである。係る状体で加熱炉に入れ加熱・硬化後、型体３を取り外す。そして、加硫処理を行いライニング層２が完成するのである。
【００２３】
尚、取り外した型体３は再度利用することが可能である。
【図面の簡単な説明】
【００２４】
【図１】ライニング層付きバレル槽にＦＲＰを張りつけた状態の断面図。
【図２】ライニング層を設けていないバレル槽に型体を嵌め込もうとした状態の断面図。
【図３】ライニング層を設けていないバレル槽に型体を嵌め込んだ状態の断面図。
【符号の説明】
【００２５】
１ａ、１ｂ・・バレル槽      ２・・ライニング層
３・・型体      ４・・スペーサ
【図１】
2005103665.tif 000003
【図２】
2005103665.tif 000004
【図３】
2005103665.tif 000005
(57)【要約】【課題】  冷えた飲食物を入れたときは、その冷えた飲食物が長い間、温まらず、熱い飲食物を入れたときは、その飲食物が長い間、冷めない飲食用容器を提案する。【解決手段】  飲食用容器の本体部２の内部に、保冷・保温剤３が封入されている。飲食用容器を冷凍庫で冷却してから、その飲食用容器に冷たい飲食物を入れ、逆に飲食用容器を加熱してから、その飲食用容器に熱い飲食物を入れる。【選択図】  図１
2005103020.tif 000002
【特許請求の範囲】
【請求項１】
保冷機能と保温機能を備えた保冷・保温剤が内部に封入されていることを特徴とする飲食用容器。
【請求項２】
前記保冷・保温剤の外側に断熱層が設けられている請求項１に記載の飲食用容器。
【発明の詳細な説明】
【技術分野】
【０００１】
本発明は、茶碗、皿、カップなどの飲食用容器に関するものである。
【背景技術】
【０００２】
飲食用容器に冷えた飲食物を入れてこれを飲食する際、途中で飲食物が温まってしまえば、せっかくの飲食物の風味が損なわれてしまう。逆に、飲食用容器に加熱した飲食物を入れてこれを飲食するとき、その飲食物が冷えてしまえば、やはりその味が低下する。
【発明の開示】
【発明が解決しようとする課題】
【０００３】
本発明の目的は、上述した従来の欠点を除去できる飲食用容器を提供することにある。
【課題を解決するための手段】
【０００４】
本発明は、上記目的を達成するため、保冷機能と保温機能を備えた保冷・保温剤が内部に封入されていることを特徴とする飲食用容器を提案する（請求項１）。
【０００５】
その際、前記保冷・保温剤の外側に断熱層が設けられていると有利である。（請求項２）。
【発明の効果】
【０００６】
本発明によれば、飲食用容器に加熱した飲食物又は冷却した飲食物を入れて、これを飲食するとき、飲食物がすぐにさめたり、温まってしまう不具合を阻止できる。
【発明を実施するための最良の形態】
【０００７】
図１は飲食用容器の一例である湯飲み茶碗の垂直断面図である。ここに示した湯飲み茶碗１は、その骨格をなす本体部２と、該本体部２の内部に封入された保冷・保温剤３とを有している。保冷・保温剤３は、保冷機能と保温機能を共に有する材料から構成され、例えば、高吸水性樹脂と、水と、防腐剤とから成る保冷・保温剤が用いられる。高吸水性樹脂は、アクリルアミド、アクリル酸からできる水溶性高分子である。また、本体部２は、例えば、一般の陶磁器の素地に用いられる材料、樹脂又は金属などから構成される。陶磁器の素地が用いられた場合には、その表面に上薬が施されることは一般の陶磁器と変りはない。保冷・保温剤３は、そのまま本体部２の内部に仕込まれるか、又はフィルムから成る袋に入れられた状態で本体部２の内部に仕込まれる。
【０００８】
上述のように、図１に示した湯飲み茶碗１より成る飲食用容器は、保冷機能と保温機能を備えた保冷・保温剤が内部に封入されているので、この湯飲み茶碗１に例えば冷たいお茶を入れてこれを飲む場合には、その湯飲み茶碗１を予め冷凍庫などに入れてこれを冷却し、しかる後、その湯飲み茶碗１に冷えたお茶を入れる。このようにすれば、保冷・保温剤３の保冷機能によって、お茶が長い間、温まることはなく、その風味が損なわれることはない。
【０００９】
また、湯飲み茶碗１に熱いお茶を入れてこれを飲むときは、その湯飲み茶碗１を予め加熱してから、これに熱いお茶を入れる。このようにすれば、保冷・保温剤３の保温機能によって、お茶が長い間、冷えることはなく、そのお茶の風味が損なわれることはない。
【００１０】
また、飲食用容器の保冷・保温剤の外側に断熱層を設けることもできる。図２に示した湯飲み茶碗１においては、その本体部２の内部に封入された保冷・保温剤３の外側に断熱層４が設けられている。この断熱層４は、例えば、断熱樹脂や断熱シリコンなどから構成される。かかる断熱層４が設けられていると、その湯飲み茶碗１に例えば冷えたお茶を入れた場合、その湯飲み茶碗１の外側面に発生する結露を抑えることができる。また当該湯飲み茶碗１に熱いお茶を入れた場合も、安心してその外側面に手を当ててこれを持つことができる。
【００１１】
図３に示した湯飲み茶碗１の場合には、断熱層４が湯飲み茶碗１の外側に露出し、保冷・保温剤３の内側に本体部２が設けられている。また図４に示した湯飲み茶碗１の場合には、保冷・保温剤３の外側の本体部２の部分が真空の空間５となっていて、この空間５によって断熱層が構成されている。図３及び図４に示した飲食用容器によっても、図２に示した飲食用容器と同様な作用効果を奏することができる。また、図２乃至図４に示した湯飲み茶碗１の本体部２も、図１に示した本体部と同様な材料により構成されている。
【００１２】
本発明は、湯飲み茶碗に限らず、他の茶碗、皿、コーヒーカップなどのカップ、サラダボールなどの飲食用容器に広く適用できるものである。
【図面の簡単な説明】
【００１３】
【図１】飲食用容器の一例である湯飲み茶碗の垂直断面図である。
【図２】湯飲み茶碗の他の例を示す垂直断面図である。
【図３】湯飲み茶碗のさらに他の例を示す垂直断面図である。
【図４】湯飲み茶碗のさらに別の例を示す垂直断面図である。
【符号の説明】
【００１４】
３  保冷・保温剤
４  断熱層
【図１】
2005103020.tif 000003
【図２】
2005103020.tif 000004
【図３】
2005103020.tif 000005
【図４】
2005103020.tif 000006
(57)【要約】【課題】この発明は従来診断精度の低かったトレッドミル運動負荷試験の判定方法を見直し、より精度の高い、新しい心電図解析方法に関するものである。【解決手段】レッドミル運動負荷中の心電図のＳＴレベルの変化を１５秒毎に計測する（イ）。Ｘ軸方向に時間経過を、Ｙ軸方向にＳＴレベルを示す座標に（イ）の数値をプロットする（ハ）。（ハ）のプロット上の、負荷終了時から負荷終了前の５ポイントめと負荷終了時から負荷終了後の５ポイントめをそれぞれ線で結び、Ｘ軸と形成される角度をθＥ、Ｙ軸と形成される角度をθＲとする。求められたθＥとθＲの数値を掛け合わせ、得られた数値をＢｉ−Ａｎｇｌｅ  Ｓｃｏｒｅ命名、Ｂｉ−Ａｎｇｌｅ  Ｓｃｏｒｅの数値が１５００以上を心筋虚血陽性と診断する。【選択図】図１
2005103224.tif 000002
【特許請求の範囲】
【請求項１】
（イ）トレッドミル運動負荷中の心電図のＳＴレベルの変化を１５秒毎に計測する。
（ロ）Ｘ軸方向に時間経過を、Ｙ軸方向にＳＴレベルを示す座標に（イ）の数値をプロットする。
（ハ）（ロ）のプロット上の、負荷終了時から負荷終了前の５ポイントめと負荷終了時から負荷終了後の５ポイントめをそれぞれ線で結び、Ｘ軸と形成される角度をθＥ、Ｙ軸と形成される角度をθＲとする。
（ニ）（ハ）で求められたθＥとθＲの数値を掛け合わせ、得られた数値をＢｉ−Ａｎｇｌｅ  Ｓｃｏｒｅと命名、Ｂｉ−Ａｎｇｌｅ  Ｓｃｏｒｅの数値が１５００以上を心筋虚血陽性と診断する。
以上の方法にて解析される、トレッドミル運動負荷試験における虚血性心疾患診断のための新しい心電図解析方法
【発明の詳細な説明】
【発明の詳細な説明】
【技術分野】
【０００１】  トレッドミル運動負荷試験とは、虚血性心疾患（狭心症、心筋梗塞）の診断を行うために、患者に心電図を装着監視し、ベルトの上を歩かすことで徐々に運動負荷を加え、負荷前後の心電図変化を確認することで虚血性心疾患の有無を判定する検査である。トレッドミル運動負荷試験の判定結果は重要であり、陽性であれば冠動脈に狭窄病変があることが予想され、急性心筋梗塞を発症する前に心臓カテーテル検査を行い、冠動脈形成術を行う必要がある。しかし、トレッドミル運動負荷試験結果の精度が低いと、虚血性心疾患を見逃したり、不必要に心臓カテーテル検査が行われる危険性がある。この発明はトレッドミル運動負荷試験における虚血性心疾患診断のための新しい心電図解析装置に関するものである。
【背景技術】
【０００２】  従来の方法では、虚血性心疾患であれば運動負荷により心電図のＳＴのレベルは低下するので、このＳＴの変化を読みとることで陽性か否か判定していた（標準判定法）。しかし、このＳＴレベルはジギタリス（強心剤）服用中の患者、高血圧症により心肥大を認める患者、ＷＰＷ症候群の患者、その他健康人女性の一部でも変化するため、これらの患者での標準判定法によるＳＴ低下の評価は虚血性心疾患を判定を複雑にし、鑑別が困難となる問題があった。ＳＴ／ＨＲｓｌｏｐｅと呼ばれ、運動負荷中のＳＴ低下度を心拍数で補正し、虚血性心疾患の診断精度を上げようとする方法も考案されたが、多くの追試論文により診断精度は必ずしも優れてはいないことが判明している。（Ｆｌｅｔｃｈｅｒ  ＧＦ：Ｃｉｒｃｕｌａｔｉｏｎ１０４：１６９４，２００１）。
【発明が解決しようとする課題】
【０００３】  したがって、トレッドミル運動負荷試験では、虚血性心疾患を正しく診断するために、より感度、特異度ともに精度の高い心電図解析方法が必要である。本発明は、この問題を解決するためのものである。
【課題を解決するための手段】
【０００４】  その構成を説明すると、
（イ）レッドミル運動負荷中の心電図のＳＴレベルの変化を１５秒毎に計測する。
（ロ）Ｘ軸方向に時間経過を、Ｙ軸方向にＳＴレベルを示す座標に（イ）の数値をプロットする。
（ハ）（ロ）のプロット上の、負荷終了時から負荷終了前の５ポイントめと負荷終了時から負荷終了後の５ポイントめをそれぞれ線で結び、Ｘ軸と形成される角度をθＥ、Ｙ軸と形成される角度をθＲとする。
（ニ）（ハ）で求められたθＥとθＲの数値を掛け合わせ、得られた数値をＢｉ−Ａｎｇｌｅ  Ｓｃｏｒｅと命名、Ｂｉ−Ａｎｇｌｅ  Ｓｃｏｒｅの数値が１５００以上を心筋虚血陽性と診断する。
以上のように解析する。
【発明を実施するための最良の形態】
【０００５】  次に本発明の実施の形態を実際の検討結果をもとに説明する。トレッドミル運動負荷にてＳＴ低下の認められた患者７３名に対して、心臓カテーテル検査を行い虚血性心疾患を診断し、標準判定法とＳＴ／ＨＲ  ｓｌｏｐｅ法、Ｂｉ−Ａｎｇｌｅ  Ｓｃｏｒｅ法でそれぞれの診断精度を調査、比較を行った。その結果、標準判定法の感度、特異度は６８．４％と３４．３％であり、ＳＴ／ＨＲ  ｓｌｏｐｅ法の感度、特異度は７１．１％と６５．７％であった。これに対し、Ｂｉ−Ａｎｇｌｅ  Ｓｃｏｒｅ法では感度、特異度は８１．６％と８８．６％であり、従来の方法論よりＢｉ−Ａｎｇｌｅ  Ｓｃｏｒｅ法は感度、特異度ともに優れた診断精度であることが判明した。
【発明の効果】
【０００６】  したがって、本発明であるＢｉ−Ａｎｇｌｅ  Ｓｃｏｒｅ法をもとに、トレッドミル運動負荷試験の判定がなされることにより、多くの病院にて精度の高い虚血性心疾患の診断が可能となり、疾患の見逃しや不必要な追検査および処方などが改善されることが期待できる。
【図面の簡単な説明】
【図１】  本発明の解析図
【図１】
2005103224.tif 000003
(57)【要約】【課題】近年著しくヘアデザインの流行が変化し、巻き髪デザインがパーマネントの技術で求められている。従来のパーマネントウエーブ用のロッドでは、図３に示すように、一つの毛束に１本しか巻けないので波状又は、Ｃ状のカールのみが可能で、パーマネントの技術では巻き髪のデザインを作るのは困難である。【解決手段】従来のロッド巻いた上から、片面を切断したロッドを大きいロッドを横から差し込んで二重に巻くと、大小のカール形状が出るため渦巻き状のカールが作れる。切断部分をの先を細くなめらかにすることで段差や境目のない自然なスムーズなカールが作れる。【選択図】図２
2005103227.tif 000002
【特許請求の範囲】
【請求項１】
パーマネントウエーブ用のロッドの片方の面を切断し、一つの毛束に大小のロッドを二つ以上巻けることを特徴とする、パーマネントウエーブ用ロッド。
【請求項２】
前記切断面は先を細く、両横を内側にゆるくなめらかにし、ロッドを真円形でなく片方を小さい半円にすることで、作業性の向上と、段差や境目のない自然なカールを作ることが出来ることを特徴とする請求項１記載のパーマネントウエーブ用のロッド。
【発明の詳細な説明】
【技術分野】
【０００１】  本発明はパーマネントウエーブを施術する場合のロッドに関する。
【背景技術】
【０００２】  従来のパーマネントウエーブの施術等に用いるロッドは中空円筒状ロッドで一つの毛束に一本のロッドを巻き付けていた。【０００３】  従来のパーマネントウエーブの施術等に用いるロッドでのカールの形成は一つの毛束に一本しか巻けなく、波状形、Ｃ状、らせん状等ロッドの形状にそってのカールが形成される。
【発明の開示】
【発明が解決しようとする課題】
【０００４】  しかしながら、以上の技術によれば一つの毛束に一本のロッドしか巻けないので根元、中間、毛先とカールの大きさが変えることが出来ず、渦巻き状のカールが形成が出来なかった。
そこでこの発明は、カールの大きさを自由に変え渦巻き状のパーマデザインを提供することを課題とする。
【課題を解決するための手段】
【０００５】  以上の課題を解決するために、第一発明は、巻かれたロッドの横からロッドの一部を切断した巻かれたロッドより大きいロッドを差し込み二重にロッドが巻けることを特徴とするパーマネントウエーブの技術用ロッドである。
また、第二発明は切断面のロッドの先端を細くし両横を内側にゆるく斜めにカットし、ロットの円形を真円形でなく切断面の片方を小さい半円にする事で、作業性の向上と、大小のロッドの段差や境目のない自然な流れのカールを作る。
【発明の効果】
【０００６】  第一発明、または第二発明によれば、一つの毛束に大小、大きさの違うロッドを巻くことで同じ毛束において、大小違う大きさのカールが形成され、渦巻き状のカール形成を可能とする。
【発明を実施するための最良の形態】
【０００７】  この発明の実施形態を図２に示す。
ロッドの本体はポリウレタン系、オレフィン系、ポリエステル系、ポリ塩化ビニル系等の合成樹脂での成型品で軽量化を計ったものである。【０００８】  図５で示した先に巻かれたロットの状態の上から、本発明のロッドを横から差し込み（図６参考）、新たに毛髪の中間から毛先に巻き込みゴムで固定する（図４参考）。【０００９】  ゴム後が残らないように必要に応じピンを通す。【００１０】「実施形態の効果」
この実施形態によれば、パーマネントウエーブの施術後、図７のＣ１が本発明のロッドを外した時の形状である。図７のＣ２、Ｃ３が従来のパーマネントウエーブの施術後ロッドを外した時の形状である。
【図面の簡単な説明】
【００１１】
【図１】従来のロッド形状。
【図２】本発明のロッド形状。
【図３】本発明のロッド形状横面
【図４】発明のパーマネント施術形態。
【図５】従来のパーマネント施術形態。
【図６】本発明のロッド差し込み状態。
【図７】本発明パーマネントの毛髪の形状と従来パーマネントの毛髪の形状。
【符号の説明】
【００１２】  １    従来のロッド本体
Ａ１  本発明のロッド本体          Ａ２  第一発明の切断部分
Ａ３  切断面            Ａ４  両端斜めカット部分
Ａ５輪ゴム掛け部分
Ｂ１  頭                          Ｂ２  毛束
Ｂ３  輪ゴム                      Ｂ４  ピン
Ｃ１  本発明のロッドのカール形状  Ｃ２  従来のロッドのカール形状Ｉ
Ｃ３  従来のロッドのカール形状ＩＩ
【図１】
2005103227.tif 000003
【図２】
2005103227.tif 000004
【図３】
2005103227.tif 000005
【図４】
2005103227.tif 000006
【図５】
2005103227.tif 000007
【図６】
2005103227.tif 000008
【図７】
2005103227.tif 000009
(57)【要約】      （修正有）【課題】一見宗教的お守りを想像さすことなく、アクセサリとし身体に装着さすことができる事で、従来に無かった新しいお守りを提供する。【解決手段】任意形状で金属又は、合成樹脂製の表裏面から成る一体のお守りで、表面に発行者の代表的しるしを透かし印刷を行ない、裏面３には、各枚数ごとに異なる通し番号４と発行者名５を記載したことを特徴とする。【選択図】図２
2005103234.tif 000002
【特許請求の範囲】
【請求項１】
任意形状の表裏面から成る一体のお守りであって、表面に発行者の宗教上の代表的しるしを、正面からは確認する事が出来ない、有る一方方向からのみ確認する事が出来る。透かし印刷をすることを特徴とするお守りであって、
上記お守りに各枚数ごとに異なる通し番号を設けられており、さらに、
上記お守りに発行者名を記載したことを特徴とするお守り。
【発明の詳細な説明】
【技術分野】
【０００１】  本願発明は、表面に発行者の宗教上の代表的しるしを透かし印刷をする。各枚数ごとに異なる通し番号と、発行者名を記載した、お守りに関するものである。
【背景技術】
【０００２】  お守りといえば宗教的要素が強い形状が多く、何人が見てもすぐに、宗教的お守りであることが判る形状である。また、発行者がお守りの持ち主を管理することができなかった。さらに、発行者名が記載されていないため、お守りの目的である、権威と何時も見守られている安心感を得ることが出来ない。
【発明の開示】
【発明が解決しようとする課題】
【０００３】  お守りは、宗教的要素が強い形状多く、持ち主がお守りを持っていることが、何人にも即座に判るため、最近は若い人にはお守りを持つことを好まない人が多くなり、お守りをもつ人が少ない。また、発行者がお守りの持ち主を管理されていない、さらに、市販のお守りは発行者の宗教的しるし、発行者名の記載がなく、お守りの役割である、権威と何時も見守られている安心感が得られないお守りである。以上の事柄を解決することを課題としている。
【課題を解決するための手段】
【０００４】  本願発明は、上記の課題を解決するため、次の技術的手段を用いる。
金属製、又は、合成樹脂製の任意形状の表面に発行者の宗教上の代表的しるしを、透かし印刷を行なう。又、各枚数ごとに異なる通し番号を設ける、さらに、発行者名を記載するお守りである。
【発明の効果】
【０００５】  本お守りは、宗教上の代表的しるしを表面に透かし印刷することによって、宗教的形状を表さないため、若者にも持つことが出来る。ファッション的感覚にて、ペンダントとして身体に装着することが出来る。外見からは宗教的感覚が無い。発行者の代表的しるしが印刷されているため、お守りの権威をたからしめる。番号によって管理されているため、何時も見守られている安心感ある。さらに、発行者名があるため、発行者との親密感がある。本来のお守りの目的である、権威と何時も見守られている安心感を得ることが出来る。
以上が本願発明の従来より新しい発明の効果である。
【発明を実施するための最良の形態】
【０００６】  本お守りの最良の形態は、金属製、又は、合成樹脂製の任意形状において、表裏面から成る一体のお守りである。表面に発行者の宗教上の代表的しるしを、正面からは確認する事が出来ない、有る一方方向からのみ確認する事が出来る。透かし印刷をする。【０００７】  上記お守りに各枚数ごとに異なる通し番号を設けられており、さらに、発行者名を記載したことを特徴とするお守りの形態である。
【実施例】
【０００８】  本お守りの表面に発行者の宗教上の代表的しるしを、正面からは確認する事が出来ないで、有る一方方向からのみ確認する事が出来る。透かし印刷をする。【０００９】  透かし印刷を行なうことによって、他人からは、宗教的お守りで有ることが判らなく、持ち主のみが、お守りを持っていることが判る、よって、身体に装着しても、持ち物に付けていても、宗教的お守りであることが何人からも判らない。【００１０】  宗教的お守りであることが判らないため、ファッションとして用いることができる。又、ペンダントのような形状にすることにより何時も身体に装着することが出来る。【００１１】  発行者の代表的しるしを、透かし印刷を行なうことによって、お守りの権威を高良しめる。【００１２】  発行者の代表的しるしとは、宗教的信仰の仏殿、仏堂、又は、信仰の形を言う。【００１３】  お守りには、各枚数ごとに異なる通し番号を設ける。この番号によって、お守りの持ち主を発行者が、記録管理することができる。番号によって管理されているため、絶えず見守られている安心感が得られる。【００１４】  発行後、渡し切りでなく、長い期間発行者によって持ち主を管理することができる。持ち主は、何時までも見守られている安心感がある。【００１５】  本お守りには、発行者名を記載することによって、お守りの意味が良く判り、発行者との親密関係ができる。発行者とは、神社、仏閣、寺等を言う。【００１６】  この発明の範囲は上述し実施形態に限定されるものではなく、特許請求の範囲に記載した事項の範囲内での変更は、すべて本願発明の範囲に含まれる。【００１９】
【図面の簡単な説明】
【図１】  本願発明の一実施例の全体構成を表面から見た説明図である。
【図２】  本願発明の一実施例の全体構成を裏面から見た説明図である。
【符号の説明】
１  本発明の表面
２  発行者の代表的しるし
３  本発明の裏面
４  枚数ごとに異なる通し番号
５  持ち主の明記部
６  発行者名
７  装着するためのクサリ
【図１】
2005103234.tif 000003
【図２】
2005103234.tif 000004
(57)【要約】【課題】  傘を閉じて持ち運ぶ際に、持ち運びやすいように、傘をショルダーバックに取り付けられるようにした、傘取り付け可能ショルダーバックを提供する。【解決手段】（特許請求の範囲の請求項１においては）  ショルダーバック（１）に帯の輪（２）を設け、ショルダーバックに傘を取り付けられるようにした、傘取り付け可能ショルダーバックを特徴とする。（特許請求の範囲の請求項２においては）  ショルダーバック（１）に帯（３）を設け、帯の両端に固定具（４）を設け、ショルダーバックに傘を取り付けられるようにした、傘取り付け可能ショルダーバックを特徴とする。【選択図】  図２
2005103233.tif 000002
【特許請求の範囲】
【請求項１】
ショルダーバック（１）に帯の輪（２）を設ける。
【請求項２】
ショルダーバック（１）に帯（３）を設け、帯の両端に固定具（４）を設けた、請求項１の傘取り付け可能ショルダーバック。
【発明の詳細な説明】
【発明の詳細な説明】
【技術分野】
【０００１】  この発明は、ショルダーバックに帯を設け、帯を使い傘をショルダーバックに取り付けられるようにした、傘取り付け可能ショルダーバックに関するものである
【背景技術】
【０００２】  従来のショルダーバックには傘を取り付けることが出来なかった。
【発明が解決しようとする課題】
【０００３】  これは次のような欠点があった。
傘を持って外に出歩く時、雨が降っておらず傘を使用していない時であっても、傘を持つために片手が塞がってしまう不便さと、また傘を無くしてしまう危険性があった。
本発明は、以上のような欠点を無くすためになされたものである。
【課題を解決するための手段】
【０００４】（特許請求の範囲の請求項１においては）
ショルダーバック（１）に帯の輪（２）を設ける。
（特許請求の範囲の請求項２においては）
ショルダーバック（１）に帯（３）を設け帯の両端に固定具（４）を設ける。
本発明は、以上の構成よりなる傘取り付け可能ショルダーバックである。
【発明を実施するための最良の形態】
【０００５】  以下、本発明の実施の形態について説明する。
（特許請求の範囲の請求項１においては）
ショルダーバック（１）にゴム、布、化学繊維又は皮革からなる帯の輪（２）を設ける。
本発明は、以上のような構造でこれを使用するときは、帯の輪（２）に傘を通すことにより、ショルダーバックに傘を取り付けて持ち運ぶことが出来る。
（特許請求の範囲の請求項２においては）
ショルダーバック（１）に帯（３）を設け、帯の両端にマジックテープ、ボタンからなる固定具（４）を設ける
本発明は、以上のような構造でこれを使用するときは、帯（３）を傘に巻きつけ、固定具（４）を使って両端を止めることにより、ショルダーバックに傘を取り付けて持ち運ぶことが出来る。
【発明の効果】
【０００６】  傘を使わない時には、ショルダーバックに簡単に傘を取り付けられ、傘を持つ煩わしさがなくなる。
傘を携帯する時に両手が自由になるため、自転車に乗る時にも事故の危険が少ない。
商店に入り本等を選ぶとき、両手を使わなければならない時に傘を気にせず買い物が出来る。
傘を電車内やバス停に置き忘れてくる可能性が低くなる。
【図面の簡単な説明】
【図１】    本発明の分解斜視図である
【図２】    本発明の斜視図である。
【符号の説明】
１    ショルダーバック
２    帯の輪
３    帯
４    固定具
【図１】
2005103233.tif 000003
【図２】
2005103233.tif 000004
(57)【要約】【課題】卵類を楕円形でかつ、立体的に半熟状態で焼き上げるためには、従来のフライパン（図３）では難しく、修練のいるのもであった。【解決手段】よく熱したフライパンＡに▲１▼のような楕円形状のくぼみを設け、そのくぼみに卵類を入れ半熟状態になったところで、よく熱したフライパンＢをかぶせひっくり返しコンロの火に当て卵類の表面を焼くことにより、半熟状態を保ちながら楕円形の卵類を立体的に焼き上げることを容易とした。【選択図】図１
2005103232.tif 000002
【特許請求の範囲】
【請求項１】
家庭用コンロで卵類を、楕円形の半熟に焼き上げることを特徴としたオムレツ、オムライス用フライパン。
【請求項２】
フライパンに楕円形のくぼみを付け、楕円形状に食材を焼き上げることを特徴としたフライパン
【請求項３】
フライパンの周囲にふちを設け、家庭用コンロ上に置くことができ、五徳の上で安定した状態で焼き上げることができる。
【発明の詳細な説明】
【技術分野】
【０００１】  この発明は、オムライス等を焼き上げるフライパンの形状に関する。
【背景技術】
【０００２】  従来のフライパンでは平面的な食材を焼くことは可能である。図３に示す。
【発明の開示】
【発明が解決しようとする課題】
【０００３】  しかしながら、以上の技術によれば柔らかい食材を立体的に焼くことは難しかった。
そこでこの発明は、フライパン自身に厚みを持たせ柔らかい食材を立体的に焼き上げることができることを課題とする。
【課題を解決するための手段】
【０００４】  以上の課題を解決するために、第一発明は楕円形のくぼみをつけたことを特徴とするフライパンである。
また、第二発明は、フライパンＡとフライパンＢをヒンジで繋ぐことにより柔らかいものを立体のまま焼き上げることができるフライパンである。
【発明の効果】
【０００５】  第一発明、または第二発明によれば、くぼみに卵類を入れ半熟に焼き上げ、フライパンをひっくり返し裏面も焼き上げることにより、中身を半熟状態で仕上げることが容易になるフライパンである。
【発明を実施するための最良の形態】
【０００６】  この発明の一実施形態を、図４に示す。
フライパンの本体１は鉄製であり、２つのフライパンからなっている。
▲１▼の部分は卵類などを入れる楕円形の型である。▲２▼の部分はフライパンの取っ手であり、▲３▼の部分のふちが五徳に乗る部分である。▲４▼、▲５▼の部分はオス、メスのヒンジであり普段はフライパン同士をつなぐ役割をしている。
この発明の断面図を図２に示す。【０００７】「実施形態の効果」
この実施形態によれば、楕円形の部分で卵類を形成することにより、立体的な楕円状の焼き上がりの出来るフライパンとなる。【０００８】「他の実施形態」
図１の実施形態では、ヒンジの部分がフライパンの奥側についているが、他の実施形態ではヒンジの部分がフライパンの左右どちらかに設けているものでも良い。
【図面の簡単な説明】
【０００９】
【図１】この発明の一実施形態を示す斜視図である。
【図２】この発明の断面図である。
【図３】従来技術を示す斜視図である。
【符号の説明】
【００１０】▲１▼  フライパンの楕円形くぼみ        ▲２▼  取っ手
▲３▼  ふち（五徳の上に乗る）          ▲４▼  ヒンジ（オス）
▲５▼  ヒンジ（メス）
【図１】
2005103232.tif 000003
【図２】
2005103232.tif 000004
【図３】
2005103232.tif 000005
(57)【要約】      （修正有）【課題】目玉クリップに紙押さえと、ティッシュボックスを吊るす添着板を設けたティッシュボックスの吊るし具を提供する。【解決手段】目玉クリップの背面にマグネットを添着し、一片に球形又は半球形の紙押さえを延長して設け、他片に長方形の添着板を設け、背面に板マグネットを添着し、下端部に二角形のボックスストッパーを突設したことを特徴とするティッシュボックスの吊るし具である。【選択図】図１
2005103235.tif 000002
【特許請求の範囲】
【請求項１】
目玉クリップの背面にマグネットを添着し、一片に球形又は半球形の紙押さえを延長して設け、他片に長方形の添着板を設けて背面に板マグネットを添着し、下端部に三角形のボックスストッパーを突設したことを特徴とする、ティッシュボックスの吊るし具である。
【発明の詳細な説明】
【技術分野】
【０００１】  本発明は、クリップの一片に球形又は半球形の紙押さえを設け、他片に添着板を設けたティッシュボックス吊るし具に関するものである。
【背景技術】
【０００２】  従来、ティッシュボックス全体を包み込んで吊るすものはあった。
【発明の開示】
【発明が解決しようとする課題】
【０００３】  そのために、次のような問題点があった。
（イ）吊るして使用していると、ペーパーの残量が減ってくるとペーパーは落下してダンゴ状になり、引き出す時に固まって出てしまい無駄が多かった。
（ロ）無理に引き出そうとすると、ペーパーはちぎれて最後まで使用出来なかった。
本発明は、これらの問題点を解決する為になされたものである。
【課題を解決するための手段】
【０００４】  目玉クリップの一片に、球形又は半球形の紙押さえをペーパーに対して垂直に延長して設ける。他片に長方形の添着板を設け、下端部に三角形のボックスストッパーを突設して設ける。  以上を特徴とするティッシュボックスの吊るし具である。
【発明の効果】
【０００５】  縦に吊るして使用して、中のペーパーの残量が減ってきても、紙押さえによって押さえられている為、落下せずダンゴ状にもならずに、一枚づつ最後まで無駄なく引き出すことが出来、きわめて経済的で快適に使用出来る。
【発明を実施するための最良の形態】
【０００６】  以下、本発明の実施の形態について説明する。
（イ）目玉クリップ（１）の前片に球（４）又は半球（５）の紙押さえ（２）を延長して設ける。
（ロ）後片に添着板（３）を設け、下端部に三角形のボックスストッパー（６）を突設する。
（ハ）目玉クリップ（１）の背面部にマグネット（７）を設け、添着板（３）の背面部に板マグネット（８）を添着して設ける。
本発明は以上のような構成で、これを使用する時はティッシュボックスの長手方向の両側面にあるミシン目穴（使用済後の折り畳のための穴）を開け、紙押さえ（２）をこの穴に挿入し、他方の手指でペーパーの前面を押さえながら球（４）半球（５）がペーパー前面に出るように挟み、後片の添着板（３）のボックスストッパー（６）をボックス裏面へ押し込む。
これを吊るして使用したり、スチール部、例えば冷蔵庫、スチールデスク等へ当着させて使用しても、ペーパーの残量が減っても落下することなく、最後まで無駄なく使用することが出来る。
【実施例１】
【０００７】  図（５）に示すようにティッシュボックスを横長に使用する場合、ボックス横側面の中央部へ三角形のボックスストッパー（６）の先端にて、Ｖの字状に切り込みを入れて穴を開け、紙押さえ（２）を挿入して使用することも出来る。
【図面の簡単な説明】
【０００８】
【図１】  本発明の斜視図
【図２】  本発明の他の実施例を示す斜視図
【図３】  本発明の側面図
【図４】  本発明の使用を示す側面の断面図
【図５】  本発明の他の使用を示す斜視図
【符号の説明】
【０００９】  １      目玉クリップ
２      紙押さえ
３      添着板
４      球
５      半球
６      ボックスストッパー
７      マグネット
８      板マグネット
【図１】
2005103235.tif 000003
【図２】
2005103235.tif 000004
【図３】
2005103235.tif 000005
【図４】
2005103235.tif 000006
【図５】
2005103235.tif 000007
(57)【要約】【課題】従来は、ガム、薬、用具などを使用して禁煙する方法がある。しかし、この方法では口の中で噛んだり、飲んだり、咥えたりするので体に対して健康上に疑問がのこる。【解決手段】喫煙する際に人差し指と中指の間に煙草を挟むのが常である。だからその人差し指と中指に煙草を挟めないように指輪をすれば、喫煙本数も抑制できるし指に嵌めるだけなので体に対して健康上支障ない。【選択図】    図１
2005103207.tif 000002
【特許請求の範囲】
【請求項１】
二つの環を連結させるか又は８の字形の指輪にする。
【請求項２】
手の甲の方に、さまざまな模様や数字、文字、記号などを描けるようにした。
【発明の詳細な説明】
【発明の詳細な説明】
【技術分野】
【０００１】  本発明は煙草の喫煙本数を完全に止めさせるのではなく一日の喫煙本数を徐々に減らしてゆき必要最小限の喫煙本数にする為の健康用具である。
【背景技術】
【０００２】  禁煙用品の中にはガムのように口に含んで噛んだり、煙草の成分を塗布したものを体に貼り付けたり、偽煙草を口に咥えたり、禁煙用飴のように嘗めたりして喫煙するのを止めようとしていていた。
【発明が解決しようとする課題】
【０００３】  しかしながら、ガムや偽煙草又は禁煙用飴などのように直接口の中に入れるもので、ある為、体に対しての安全性に疑問が残る。
【課題を解決するための手段】
【０００４】  本発明は、煙草を喫煙する際に左手又は右手の人差し指と中指の二本を使用するのでその二本の指に指輪を嵌めて使用する。よって直接口の中に入れるより安全性は高い。
【実施例】
【０００５】  本発明品を左手又は右手の人差し指と中指に嵌めることのよって両指が開かない為、煙草を指に挟んで喫煙することが不可能となり抑制することができる。
【発明の効果】
【０００６】  以上のように、請求項１記載の発明によれば２つの指輪を連結させた状態の物を人差し指と中指に嵌めることによって煙草を挟むことができなくなり、喫煙を抑制させる効果がある。
また請求項２記載の発明によれば手の甲の方に模様、記号、文字、数字を描けるようにして気軽に嵌めやすくした。
【図面の簡単な説明】
【図１】  右手の人差し指と中指に禁煙抑制指輪を、嵌めた時の外観図である。
【図１】
2005103207.tif 000003
(57)【要約】【課題】  使用時に外れたりズレづらく、且つ、ライディングの際サーフボードの性能を阻害することのないサーフボードテール部分保護具を開発する。【解決手段】  保護生地に衝撃吸収性・伸縮性のある素材を使用し、サーフボードテール部分の破損を防ぎ、締め付け力のかかる部分にストッパ（すべり止め）を設けることにより流線型で凹凸の乏しいサーフボードに強い力で固定できるようにした。且つ、サーフボードの紐（流れ止め取り付け用紐）をベルクロで固定することにより、固定力を強化した保護具を開発した。着脱可能としたことでライディングの際、サーフボードの性能を阻害することもない。【選択図】図２
2005103206.tif 000002
【特許請求の範囲】
【請求項１】
伸縮性のある素材とストッパ（滑り止め）を併用し締め付け力をかけることで、流線型で凹凸の乏しいサーフボードに強い力で固定できるようにした。
【請求項２】
保護生地に衝撃吸収性・伸縮性のある素材を使用し、サーフボードテール部分を覆うことで破損を防ぎ、締め付け力のかかる部分にストッパ（すべり止め）を設け、且つ、サーフボードの紐（流れ止め取り付け用紐）をベルクロで固定することにより流線型で凹凸の乏しいサーフボードに強い力で固定できるようにした、着脱可能な衝撃からサーフボードテール部分を守る保護具。
【発明の詳細な説明】
【発明の詳細な説明】
【技術分野】
【０００１】  本発明は破損しやすいサーフボードテール部分を保護する道具に関するものである。
【背景技術】
【０００２】  大半のサーフボード表面は樹脂でできており、硬いものによる衝撃で簡単に破損（ヒビ割れ含む）してしまう。【０００３】  この改善策として▲１▼サーフボード収納時に使用する、テール部分のみに保護具としてのウレタンをはめ込むタイプのものや▲２▼サーフボードテール部分に直接保護具自体を貼りつけて使用するタイプのものがある。【０００４】  しかし、▲１▼では外部からの力により外れたりズレてしまい、保護機能を果たさなくなってしまうことがある。▲２▼ではライディングしている際、水の抵抗を受けて、サーフボードのもつ性能（スピード、回転性等）を阻害することがある。
【発明の開示】
【発明が解決しようとする課題】
【０００５】  サーフボードのテール部分は地面等外部からの衝撃を受けやすい箇所である。ライディング時にボードの性能を阻害せず、且つ、収納時に外れたりズレづらい、衝撃からサーフボードの破損を防止するための保護具を作ることが課題である。
【課題を解決するための手段】
【０００６】  保護具の素材に▲１▼衝撃吸収性があることから外力による影響を緩和することができ▲２▼伸縮性があることからストッパ（滑り止め）と併用することで、流線型で凹凸の乏しいサーフボードに強い力で固定することが可能となった。また、保護具に穴とベルクロを設けて紐（サーフボード流れ止め取り付け用紐）を固定することで、サーフボードへの固定力を強化した。以上を主な特徴とする。
【発明の効果】
【０００７】  本発明の保護具はサーフボードに装着後、外部からの衝撃を緩和し、外れたりズレづらく、且つ、ライディングの際、サーフボードのもつ性能を低下させる事がないという利点がある。
【発明を実施するための最良の形態】
【０００８】１．保護生地Ａ（１）と保護生地Ｂ（２）を縫い合わせる等し、袋状にする。
２．１の底部に保護生地Ｃ（３）を接着または縫い付ける。
３．保護生地Ｂ（２）にベルト（４）、ベルクロＡ（５）ストッパ（８）を取りつける。
４．保護生地Ａ（１）にベルクロＢ（７）を取りつける。
５．保護生地Ａ（１）に穴（６）を明ける。
【図面の簡単な説明】
【０００９】
【図１】  本発明の部品図及び部品取り付け部説明図である
【図２】  本発明の使用状態を示す図面（表・裏）である。
【符号の説明】
【００１０】  １．保護生地Ａ
２．保護生地Ｂ
３．保護生地Ｃ
４．ベルト
５．ベルクロＡ
６．穴
７．ベルクロＢ
８．ストッパ
【図１】
2005103206.tif 000003
【図２】
2005103206.tif 000004
(57)【要約】      （修正有）【課題】視覚障害者への情報伝達を、データマトリックスと携帯情報端末を用い、音声情報通信システムのもとで、より健常者に近いかたちで提供する。【解決手段】携帯情報端末を用い、データマトリックス１３をスキャンレンズで読込み、アンテナよりホストサーバ１１へコード認証情報を送信。その後、ホストサーバ１１にある音声情報を、蓄積された音声情報群１２より検出して、アンテナより音声情報を受信。その音声情報を再生することで内蔵スピーカー６より情報を即時に入手できるようにする。【選択図】図２
2005103209.tif 000002
【特許請求の範囲】
【請求項１】
データマトリックスを認証することによって音声が再生される製品。
【請求項２】
スキャンレンズとスピーカーが一体化し、かつ、再生・停止・音量調整の機能を備え、さらに、携帯性に富んでいる製品。
【請求項３】
データマトリックスを認証することによって、音声情報をピックアップすることができる情報通信システム。
【請求項４】
視覚障害者を対象とした音声情報による情報通信システム。
【発明の詳細な説明】
【技術分野】
【０００１】本発明は、情報通信システムの構築に関するもので、携帯情報端末によってデータマトリックスをスキャンすることで、ホストサーバに蓄積された音声情報を入手できるようにしたものである。
【背景技術】
【０００２】データマトリックスと同様の従来の技術に関して、以下に箇条で説明する。
（イ）．２次元コードを用いてホストサーバを介したインターネットによる通信システムを配置しているものがある（例えば、特許文献１参照。）。
（ロ）．音声情報を格納した２次元コードを書物に施したものがある。（例えば、特許文献２参照。）。
（ハ）．２次元コードであるＱＲコードを携帯電話内蔵のカメラで撮影することにより、画像情報を入手できる情報通信システムを施したものがある（例えば、非特許文献１参照。）。
以下、参照文献について説明する。
【特許文献１】特開２０００−２６７９６６号公報
【特許文献２】特開平１１−２６７３７３号公報
【非特許文献１】公式ホームページ「さあ、写メールワールドへ  ＱＲコードの使い方」、ジェイフォン株式会社、２００３年、ｈｔｔｐ：／／ｗｗｗ．ｓｈａ−ｍａｉｌ．ｃｏｍ／ｕｓｅｑｒ／ｉｎｄｅｘ．ｈｔｍｌ
【発明の開示】
【発明が解決しようとする課題】
【０００３】従来の情報は視覚要素の高いものが主であり、視覚障害者にとっては同等の精度／鮮度の情報が得られない現状がある。本発明は、視覚障害者へ同等の精度／鮮度の情報を提供することを目的に、新たな情報通信システムと携帯情報端末を用いて、これを解決していくものである。
【課題を解決するための手段】
【０００４】情報端末として携帯性の高い情報端末図１と、それを用いて音声情報を入手することのできる情報通信システム図２の構築により、視覚情報により近いものを音声によって提供する。
【発明の効果】
【０００５】視覚障害者が携帯情報端末図１を用いることで、データマトリックスの在処によって、たとえば図３の各例のように、データマトリックスを商品の一部に印刷を施すことや、各施設の情報サインなどに施すことで、今後さまざまな日常の場で、有効な情報を即時に入手することができるようになる。また、視覚障害者にとって効果の高い音声情報をホストサーバ内に蓄積することにより、健常者と同等の精度／鮮度の情報を提供できるようになる。
【発明を実施するための最良の形態】
【０００６】携帯情報端末図１は、全体的にグリップ性の高い形状にすることを前提に、スキャン開始ボタン２、音声再生ボタン３、音声停止／一時停止ボタン４、音量調整ノズル８は、それぞれ位置と凹凸により触ることで認知しやすい形状にする。また、筐体９を含めた全てに、落下しても壊れにくい素材を用いる。【０００７】スキャンレンズ５は従来のバーコードスキャナにあるような赤外線を放つもので、かつ円状の凸面を持つ形状とし、データマトリックス１３を認証しやすくする。バッテリーケース１０の内部には、充電式のリチウム電池を用いて長時間の使用に耐え得るものとする。【０００８】情報通信システム図２については、蓄積された音声情報群１２の総容量が莫大となるため、ホストサーバ１１でその容量および複数の同時通信に耐え得るシステムを組む。【０００９】事例図３について、データマトリックスの至近に点字を配し、データマトリックスと点字を併用することで、視覚障害者にとってデータマトリックスの在処が理解しやすいようにする。
【実施例】
【産業上の利用可能性】
【図面の簡単な説明】
【００１０】
【図１】  本発明の携帯情報端末の形状を示した六面図である。
【図２】  本発明の情報通信システムを示した構成図である。
【図３】  本発明の利用形態の一例を示した事例図である。
【符号の説明】
【００１１】        １  アンテナ＆コードスキャン確認ＬＥＤ
２  スキャン開始ボタン
３  音声再生ボタン
４  音声停止／一時停止ボタン
５  スキャンレンズ
６  内蔵スピーカー
７  耳当て
８  音量調整ノズル
９  筐体
１０  バッテリーケース
１１  ホストサーバ
１２  蓄積された音声情報群
１３  データマトリックス
【図１】
2005103209.tif 000003
【図２】
2005103209.tif 000004
【図３】
2005103209.tif 000005
(57)【要約】      （修正有）【課題】従来のハサミの形状は、紙や布などを切断することだけに限られるため、切断しようとするものの長さ、切断したものの長さが判らなかった。【解決手段】ハサミ本体１の刃部に寸法が読み取れるような寸法目盛の刻印を行う。目盛の刻印は、切断物に影響を与えてしまう可能性があるため、刃先まで行わないようにする。【選択図】図２
2005103204.tif 000002
【特許請求の範囲】
【請求項１】
刃部に、寸法を目視測定出来るように目盛を付加した構造を併せ持つハサミ。
【発明の詳細な説明】
【技術分野】
【０００１】この発明は、紙や布などを切るハサミの外観構造に関する。
【背景技術】
【０００２】従来のハサミは、図２に示すように、本体１と本体２が、ネジ３により、組み立てられ、そのネジを中心として動くことで、紙や布などを切断することが出来る。
【発明の開示】
【発明が解決しようとする課題】
【０００３】しかしながら、以上の技術によれば、紙や布などを切断することだけに限られるため、切断しようとするものの長さ、切断したものの長さが判らない。
そこで、この発明は、刃部に目盛を付加することで、切断した概算寸法を把握することができ、また、事前に目盛を見ながら切断することで、希望の長さ前後に切断することが出来るようなことの提供を課題とする。
【課題を解決するための手段】
【０００４】以上の課題を解決するために、第一発明は、刃部に、寸法目盛の刻印を行ったことを特徴としたハサミ（鋏）である。
【発明の効果】
【０００５】第一発明によれば、ハサミの刃部へ寸法目盛の刻印を打つことにより、切断した概算寸法を容易に把握できるだけでなく、これから切断しようとしているものについて、目盛を見ながら切断することで、希望する切断長に合わせ切断することが可能である。
【発明を実施するための最良の形態】
【０００６】この発明の一実施形態を、図１に示す。
ハサミ本体１、ハサミ本体２は金属製であり、このハサミ本体１とハサミ本体２を、ネジ３により組み立てることは、従来のハサミと同じであるが、ハサミ本体１の刃部に寸法目盛を刻印してある。なお、目盛の刻印は切断物へ影響を与えないように刃先まで刻印しない。【０００７】「実施形態の効果」
この実施形態によれば、切断後に目盛刻印を視認することで、切断したものの概算寸法を容易に把握出来る。また、これから任意寸法で切断しようとしている場合は、目盛刻印を見ながら切断することで、希望している任意寸法に近い切断が出来る。【０００８】「他の実施形態」
図１の実施形態では、寸法目盛の刻印は、ハサミ本体１にしか行っていないが、他の実施形態では、ハサミ本体２にも刻印した方が、左利き腕の者が使用した場合でも視認し易い。
【図面の簡単な説明】
【０００９】
【図１】この発明の一実施形態を示す、閉じた時の平面図である。
【図２】この発明の一実施形態を示す、開いた時の平面図である。
【図３】従来技術を示す、閉じた時の平面図である。
【図４】従来技術を示す、開いた時の平面図である。
【図５】この発明の一実施形態を示す、［（１）ハサミ本体▲１▼］先端部分の拡大平面図である。
【符号の説明】
【００１０】（１）  ハサミ本体▲１▼              （２）  ハサミ本体▲２▼
（３）  ネジ
【図１】
2005103204.tif 000003
【図２】
2005103204.tif 000004
【図３】
2005103204.tif 000005
【図４】
2005103204.tif 000006
【図５】
2005103204.tif 000007